(57)【要約】【課題】光ディスクの良好な記録再生特性が得られるディスク装置を提供すること。【解決手段】ディスク装置１は、ケーシング（筐体）２２とケーシング２２の上部を覆う天板（蓋体）２３とを備えた装置本体２と、光ディスク９０が収納されるディスク収納部１１１を有し、装置本体２の前面に形成された開口２４０を介して、装置本体２に対し移動可能に設置されたディスクトレイ１１とを有する。天板２３には、ディスクトレイ１１を装置本体２内に挿入したときのディスク収納部１１１に対応する領域内に、光ディスク９０の回転中心と同心的な円環状の凸部２３１が、装置本体２の内側に向かって突出するように形成されている。【選択図】図５
2004103178.tif 000002
【特許請求の範囲】
【請求項１】
筐体と該筐体の上部を覆う蓋体とを備えた装置本体と、
光ディスクが収納されるディスク収納部を有し、前記装置本体の前面に形成された開口を介して、前記装置本体に対し移動可能に設置されたディスクトレイとを有し、
前記蓋体には、前記ディスクトレイを前記装置本体内に挿入したときの前記ディスク収納部に対応する領域内に、円環状の凸部が、前記装置本体の内側に向かって突出するよう設けられていることを特徴とするディスク装置。
【請求項２】
前記凸部は、光ディスクの回転中心とほぼ同心的に形成されている請求項１に記載のディスク装置。
【請求項３】
前記凸部は、その横断面積が先端に向かって漸減する形状をなしている請求項１または２に記載のディスク装置。
【請求項４】
前記凸部は、その内周面が傾斜面を構成している請求項１ないし３のいずれかに記載のディスク装置。
【請求項５】
前記凸部の前記内周面と前記蓋体とのなす角度は、９０〜１７０°である請求項４に記載のディスク装置。
【請求項６】
前記凸部は、その外周面が傾斜面を構成している請求項１ないし５のいずれかに記載のディスク装置。
【請求項７】
前記凸部の前記外周面と前記蓋体とのなす角度は、９０〜１７０°である請求項６に記載のディスク装置。
【請求項８】
前記凸部は、その先端面が平坦面を構成している請求項１ないし７のいずれかに記載のディスク装置。
【請求項９】
前記凸部の先端面の半径方向の幅は、２０〜５０ｍｍである請求項１ないし８のいずれかに記載のディスク装置。
【請求項１０】
前記凸部の先端面と前記光ディスクとの距離をｄ１、前記光ディスクと前記ディスク収納部の底面との距離をｄ２としたとき、ｄ１／ｄ２が０．７〜１．３である請求項１ないし９のいずれかに記載のディスク装置。
【請求項１１】
前記凸部の先端面と前記光ディスクとの距離をｄ１、前記光ディスクと前記ディスク収納部の底面との距離をｄ２としたとき、ｄ１＋ｄ２が４．６〜６．４ｍｍである請求項１ないし１０のいずれかに記載のディスク装置。
【請求項１２】
前記凸部は、前記蓋体と一体的に形成されている請求項１ないし１１のいずれかに記載のディスク装置。
【請求項１３】
前記凸条は、プレス加工または絞り加工により形成されている請求項１２に記載のディスク装置。
【請求項１４】
前記凸部は、光ディスクが回転する際に発生する気流を調整する機能を有する請求項１ないし１３のいずれかに記載のディスク装置。
【請求項１５】
前記凸部は、前記光ディスクの姿勢を規制し得る機能を有する請求項１ないし１４のいずれかに記載のディスク装置。
【発明の詳細な説明】
【０００１】
【発明の属する技術分野】
本発明は、ディスク装置に関する。
【０００２】
【従来の技術】
ＣＤ−ＲＯＭ、ＣＤ−Ｒ、ＤＶＤ等の光ディスクを再生、または記録／再生するディスク装置としては、光ディスクをほぼ水平に置かれたディスクトレイ上の凹部に収納する横置き状態での使用の他、ディスクトレイが垂直となる縦置き状態での使用も可能な縦横両用タイプのものが知られている。
【０００３】
このようなディスク装置では、光ディスクのディスクトレイからの脱落を防止する機構や、光ディスクの取り出しの際に光ディスクが装置前面の開口付近に引っかかるのを防止して、ディスクトレイおよび光ディスクの排出動作を円滑に行なうための機構が設けられている。
【０００４】
ところで、光ディスクが高速で回転すると、それにより気流（空気の流れ）が発生するが、この気流が不安定であると、真近にあるケーシングの天板が振動し、異音が発生することがある。特に、ディスクトレイおよび光ディスクの排出動作を円滑に行なうための機構として、装置前面の開口付近に内側に向かって突出する凸部が設けられている場合には、気流がこの凸部近傍で急激に変化し、光ディスクを押し付けるまたは押し上げる力が生じ、光ディスクの記録面が光ピックアップからのレーザ光の焦点位置からズレ、記録再生特性に悪影響を及ぼすおそれがある。
【０００５】
さらに、光ディスクを回転駆動するためのスピンドルモータが特定の回転数に到達すると、スピンドルモータの振動と光ディスクとが共振し、異音および光ディスクの振動が発生するという現象が見られるようになる。この場合、前述したような力が光ディスクに加わると、光ディスクの傾きがより一層大きくなり、光ディスクの記録再生特性が劣るようになる。
【０００６】
【発明が解決しようとする課題】
本発明の目的は、光ディスクの良好な記録再生特性が得られるディスク装置を提供することにある。
【０００７】
【課題を解決するための手段】
このような目的は、下記（１）〜（１５）の本発明により達成される。
【０００８】
（１）　筐体と該筐体の上部を覆う蓋体とを備えた装置本体と、
光ディスクが収納されるディスク収納部を有し、前記装置本体の前面に形成された開口を介して、前記装置本体に対し移動可能に設置されたディスクトレイとを有し、
前記蓋体には、前記ディスクトレイを前記装置本体内に挿入したときの前記ディスク収納部に対応する領域内に、円環状の凸部が、前記装置本体の内側に向かって突出するよう設けられていることを特徴とするディスク装置。
【０００９】
（２）　前記凸部は、光ディスクの回転中心とほぼ同心的に形成されている上記（１）に記載のディスク装置。
【００１０】
（３）　前記凸部は、その横断面積が先端に向かって漸減する形状をなしている上記（１）または（２）に記載のディスク装置。
【００１１】
（４）　前記凸部は、その内周面が傾斜面を構成している上記（１）ないし（３）のいずれかに記載のディスク装置。
【００１２】
（５）　前記凸部の前記内周面と前記蓋体とのなす角度は、９０〜１７０°である上記（４）に記載のディスク装置。
【００１３】
（６）　前記凸部は、その外周面が傾斜面を構成している上記（１）ないし（５）のいずれかに記載のディスク装置。
【００１４】
（７）　前記凸部の前記外周面と前記蓋体とのなす角度は、９０〜１７０°である上記（６）に記載のディスク装置。
【００１５】
（８）　前記凸部は、その先端面が平坦面を構成している上記（１）ないし（７）のいずれかに記載のディスク装置。
【００１６】
（９）　前記凸部の先端面の半径方向の幅は、２０〜５０ｍｍである上記（１）ないし（８）のいずれかに記載のディスク装置。
【００１７】
（１０）　前記凸部の先端面と前記光ディスクとの距離をｄ１、前記光ディスクと前記ディスク収納部の底面との距離をｄ２としたとき、ｄ１／ｄ２が０．７〜１．３である上記（１）ないし（９）のいずれかに記載のディスク装置。
【００１８】
（１１）　前記凸部の先端面と前記光ディスクとの距離をｄ１、前記光ディスクと前記ディスク収納部の底面との距離をｄ２としたとき、ｄ１＋ｄ２が４．６〜６．４ｍｍである上記（１）ないし（１０）のいずれかに記載のディスク装置。
【００１９】
（１２）　前記凸部は、前記蓋体と一体的に形成されている上記（１）ないし（１１）のいずれかに記載のディスク装置。
【００２０】
（１３）　前記凸条は、プレス加工または絞り加工により形成されている上記（１２）に記載のディスク装置。
【００２１】
（１４）　前記凸部は、光ディスクが回転する際に発生する気流を調整する機能を有する上記（１）ないし（１３）のいずれかに記載のディスク装置。
【００２２】
（１５）　前記凸部は、前記光ディスクの姿勢を規制し得る機能を有する上記（１）ないし（１４）のいずれかに記載のディスク装置。
【００２３】
【発明の実施の形態】
以下、本発明のディスク装置を添付図面に示す好適な実施形態に基づいて詳細に説明する。
【００２４】
図１は、本発明のディスク装置の実施形態を示す平面図、図２は、図１に示すディスク装置における天板を装置本体の内側から見た平面図、図３は、図１に示すディスク装置における天板を取り外した状態を示す平面図、図４および図５は、それぞれ、図１に示すディスク装置の断面側面図である。なお、以下では、説明の都合上、図１〜図５中の上方を「後」または「後方」、図１〜図５中の下方を「前」または「前方」、図４、図５中の左方を「上」、図４、図５中の右方を「下」と言う。
【００２５】
図１〜図５に示すディスク装置１は、音楽用ＣＤ、ＣＤ−ＲＯＭ、ＣＤ−Ｒ、ＣＤ−ＲＷ、ＤＶＤ等の光ディスクに記録された情報を再生する機能（または記録／再生する機能）を有する装置である。
【００２６】
このディスク装置１は、装置本体２と、光ディスク９０を載置（収納）し、装置本体２に対し前後方向（水平方向）に移動するディスクトレイ１１と、装置本体２内に設置されたスレッドメカユニット（ディスク装置用ユニット）３とを備えている。以下、各部の構成について説明する。
【００２７】
装置本体２は、フレーム２１と、フレーム２１の下部および側部を覆うケーシング（筐体）２２と、フレーム２１（ケーシング２２）の上部を覆う天板（蓋体）２３と、前方に設けられたフロントベゼル２４と、トレイパネル１１６とを有している。
【００２８】
また、フロントベゼル２４には、開口２４０が形成されている。すなわち、装置本体２の前面には、開口２４０が形成されている。この開口２４０を介して、ディスクトレイ１１が装置本体２に対し移動可能に設置されている。
【００２９】
フレーム２１には、ディスクトレイ１１およびその駆動機構（図示せず）、スレッドメカユニット３、メイン回路基板１２等が搭載されている。
【００３０】
フレーム２１には、ケーシング２２が例えばビス止めにより固定されており、フレーム２１の下部は、ケーシング２２の底板２２１により覆われている。
【００３１】
また、フレーム２１の上部には、天板２３が例えばビス止めにより固定され、フレーム２１と天板２３との間にディスクトレイ１１を収納する空間が形成される。
【００３２】
なお、フレーム２１およびディスクトレイ１１は、それぞれ、樹脂材料（プラスチック）で構成されたものである。
【００３３】
また、ケーシング２２および天板２３は、それぞれ、金属板をプレス成形等により所定に変形させてなる板状部材であり、天板２３には、図１および図２に示すように、天板２３の下面（内面）側に突出する円環状の凸部２３１が形成されている。凸部２３１の構成については、後に詳述する。
【００３４】
メイン回路基板１２には、ディスク装置１の諸動作を制御する回路が形成されているとともに、マイクロプロセッサ、メモリ、モータドライバなどの各種ＩＣや、抵抗、コンデンサ、スイッチなどの各種電子部品が搭載されている。
【００３５】
ディスクトレイ１１は、浅い凹状のディスク収納部１１１を有しており、光ディスク９０は、このディスク収納部１１１に収納された状態で搬送される。
【００３６】
また、このディスクトレイ１１には、図１に示すように、ディスク収納部１１１の外周部に、爪部１１３が４カ所に設けられている。各爪部１１３は、それぞれ、軸１１４を中心として回転（回動）可能になっており、ディスク装置１を縦置き状態で使用する場合には、ディスク収納部１１１に突出した状態（図１に示す状態）とされ、収納された光ディスク９０をディスク収納部１１１から脱落しないように、面外方向から遊嵌状態で保持する。
【００３７】
これらの爪部１１３は、それぞれ、樹脂材料等の可撓性を有する材料で構成されている。
【００３８】
ディスクトレイ１１は、フレーム２１に搭載された駆動機構（図示せず）により駆動され、開口２４０を介して、装置本体２に対し前後方向に移動（摺動）する。すなわち、ディスクトレイ１１は、開口２４０を介して、装置本体２に対し光ディスク９０を装填する装填位置（以下、「装填状態」とも言う。）と、光ディスク９０を排出する排出位置（以下、「排出状態」とも言う。）との間で移動可能となっている。
【００３９】
このディスクトレイ１１は、装填位置（図５に示す状態）では、その全体が装置本体に収納された状態となり、排出位置（図１および図３に示す状態）では、その大半が装置本体２の前方側に排出（突出）された状態となる。
【００４０】
図３〜図５に示すように、装置本体２の内部には、スレッドメカユニット３を支持する枠部材１３が設置されている。枠部材１３は、ほぼ長方形の枠状をなしており、その後端部には、軸１３１が両側にそれぞれ突出形成されている。軸１３１は、フレーム２１に形成された受け部に回動可能に支持されている。これにより、枠部材１３は、装置本体２に対し軸１３１を中心として回動可能になっている。
【００４１】
枠部材１３は、図示しない駆動機構の駆動により、装填状態では天板２３および底板２２１とほぼ平行な姿勢となり、排出状態ではその前方側が下方向に変位して天板２３および底板２２１に対し傾斜した姿勢となるように変位する。
【００４２】
枠部材１３の内側には、スレッドメカユニット３が位置している。スレッドメカユニット３は、振動を吸収する３個のゴムブッシュ（弾性部材）１４を介して、枠部材１３に支持されている。
【００４３】
スレッドメカユニット３は、主に、シャーシ（基台）４と、シャーシ４上に設置（搭載）された光ディスク回転駆動機構５、光ピックアップ（光学ヘッド）６および光ピックアップ移動機構７とで構成されている。
【００４４】
光ディスク回転駆動機構５は、スピンドルモータ５１と、該スピンドルモータ５１のロータに固定されたターンテーブル５２とを有している。光ディスク回転駆動機構５は、ターンテーブル５２に光ディスク９０を装着（載置）して、この光ディスク９０を回転駆動するものである。
【００４５】
光ピックアップ６は、対物レンズ６１と、該対物レンズ６１を光軸方向（フォーカシング）および光ディスク９０の半径方向（トラッキング）に駆動するアクチュエータ６２と、レーザ光源と、集光光学系と、ビームスプリッタ（またはハーフミラー）と、情報検出用およびフォーカシング信号、トラッキング信号検出用の受光素子と、これらを支持する支持部材６３とを備え、光ディスク９０の記録面へ照射されたレーザ光の反射光を、対物レンズ、ビームスプリッタ（またはハーフミラー）等を介して受光素子へ導く構成のものである。
【００４６】
対物レンズ６１は、装填状態では、ディスクトレイ１１に形成された開口１１２よりディスク収納部１１１に露出し、光ディスク９０の記録面と対面する。
【００４７】
支持部材６３は、例えばダイキャストで製造されるような金属材料で構成されている。支持部材６３の図３中の左側には、ガイドシャフト７６を挿通する孔が形成された一対の摺動部６４が形成されている。また、支持部材６３の図３中の右側には、ガイドシャフト７７に係合し、このガイドシャフト７７に沿って摺動する摺動部６５が形成されている。
【００４８】
光ピックアップ移動機構７は、正転／逆転可能なスレッドモータ７１と、該スレッドモータ７１の回転軸に固定されたウォーム７２と、該ウォーム７２に噛合する大径ギア７３と、大径ギア７３に固定されかつ同軸で回転する小径ギア７４と、支持部材６３に固定され、小径ギア７４と噛合するラックギア７５と、支持部材６３の移動経路を規定し、これを案内する一対のガイドシャフト７６および７７とで構成されている。
【００４９】
スレッドモータ７１が駆動すると、その回転力がウォーム７２、大径ギア７３、小径ギア７４およびラックギア７５に順次伝達され、支持部材６３がガイドシャフト７６、７７に沿って光ディスク９０の径方向（半径方向）に所定の移動範囲内で移動する。この場合、スレッドモータ７１の回転方向により、支持部材６３は、光ディスク９０の回転中心に接近する方向または回転中心から遠ざかる方向に移動する。
【００５０】
シャーシ４（スレッドメカユニット３）は、枠部材１３と共に装置本体２に対し回動する。この回動中心である軸１３１は、シャーシ４の後端（一端）付近に位置する。すなわち、シャーシ４の後端は、回動中心となり装置本体２に対しほぼ変位しない回動端４１であり、シャーシ４の前端（他端）は、装置本体２に対しほぼ上下方向に変位する変位端４２になっている。
【００５１】
このような構成により、シャーシ４（スレッドメカユニット３）は、装填状態では変位端４２側が上昇した位置（以下、単に「上昇位置」と言う。）にあり（図５参照）、排出状態では変位端４２側が下降した位置（以下、単に「下降位置」と言う。）にある（図４参照）。
【００５２】
シャーシ４は、上昇位置では天板２３および底板２２１にほぼ平行な姿勢になり、下降位置では天板２３および底板２２１に対し傾斜した姿勢になる。
【００５３】
シャーシ４が上昇位置にあるときには、ターンテーブル５２は、開口１１２よりディスク収納部１１１内に突出（露出）し、これにより、装置本体２内に装填された光ディスク９０がターンテーブル５２に装着（載置）される。この状態では、天板２３の内側に回転可能に設置されたディスククランパ１５がターンテーブル５２に設置された磁石に吸着され、これにより、光ディスク９０がターンテーブル５２とディスククランパ１５との間で挟持される（図５参照）。
【００５４】
シャーシ４が下降位置にあるときには、ターンテーブル５２や光ピックアップ６の一部等と、排出位置に移動するディスクトレイ１１とが干渉しないようになっている。
【００５５】
以上のようにして、ディスクトレイ１１の排出位置で、ディスク収納部１１１に正常に収納された光ディスクは、ディスクトレイ１１の装填位置への移動により装置本体２内に搬送され、ターンテーブル５２に装着される。
【００５６】
図１、図２、図４および図５に示すように、天板２３には、天板２３の下面側に突出（隆起）する（装置本体２の内側に向かって突出する）円環状の凸部２３１が、天板２３と一体的に形成されている。この凸部２３１の形成位置は、ディスクトレイ１１の装填状態でディスク収納部１１１に対応する領域内とされる。具体的には、凸部２３１は、ディスククランパ１５の外周部に光ディスク９０（ディスククランパ１５）の回転中心とほぼ同心的に形成されている。
【００５７】
この凸部２３１は、光ディスク９０が回転（特に高速回転）する際に発生する気流（空気の流れ）を調整する機能（整流作用）を有するものであり、整流手段（気流調整手段）を構成している。
【００５８】
凸部２３１は、その横断面積が先端に向かって漸減する形状をなしている。本実施形態では、凸部２３１は、その内周面２３２および外周面２３３がそれぞれ傾斜面を構成している（内周面２３２および外周面２３３のいずれか一方が傾斜面を構成しているものでもよい）。凸部２３１をこのような形状とすることにより、光ディスク９０が回転（高速回転）する際に発生する気流をより効率よく調整（制御）することができる。これにより、気流の乱れに起因して光ディスク９０の回転が不安定となることによる光ディスク９０の記録再生特性の低下をより確実に抑制（防止）することができる。
【００５９】
この場合、内周面２３２と天板２３とのなす角度θ１および外周面２３３と天板２３とのなす角度θ２は、特に限定されないが、それぞれ、９０〜１７０°程度であるのが好ましく、１３０〜１４０°程度であるのがより好ましい（図４参照）。
なお、角度θ１と角度θ２とは、同一でも異なっていてもよい。
【００６０】
また、凸部２３１は、先端面（下面）２３４を有している。この先端面２３４は、平坦面を構成しており、ディスクトレイ１１を装填位置へ移動させたとき、先端面２３４とディスク収納部１１１の底面１１５とは、ほぼ平行となるように構成されている。特に、光ディスク９０を回転駆動している状態で、先端面２３４は、光ディスクの表面（記録面）と可及的に平行となるように構成されているのが好ましい。このような構成とすることにより、光ディスク９０の回転時に生じる気流をより効率よく調整（制御）することができ、光ディスク９０の記録再生特性を高く維持することができる。
【００６１】
先端面２３４の半径方向の幅Ｗは、特に限定されないが、光ディスク９０の記録面を十分にカバーし得る程度であるのが好ましい。具体的には、幅Ｗは、２０〜４５ｍｍ程度であるのが好ましく、３５〜４０ｍｍ程度であるのがより好ましい（図４参照）。
【００６２】
また、凸部２３１の高さは、次の条件を満足する程度のものが好ましい。すなわち、凸部２３１の先端面２３４と光ディスク（回転駆動時）９０との距離をｄ１、光ディスク（回転駆動時）９０とディスク収納部１１１の底面１１５との距離をｄ２としたとき、ｄ１とｄ２とが、できるだけ等しいのが好ましい（図５参照）。具体的には、ｄ１／ｄ２が０．７〜１．３程度であるのが好ましく、０．９〜１．１程度であるのがより好ましい。このようにすることにより、光ディスク９０の上面側と下面側とで、流れる空気の量の差をできるだけ小さくすることができ、すなわち圧力差をできるだけ小さくすることができるので、圧力差により光ディスク９０に対し作用する上下方向の力の差を小さくすることができ、よって、光ディスク９０をより安定して回転することができ、光ディスク９０の記録再生特性を高く維持することができる。
【００６３】
また、ｄ１＋ｄ２は、４．６〜６．４ｍｍ程度であるのが好ましく、５〜５．８ｍｍ程度であるのがより好ましい。
【００６４】
このような凸部２３１は、前述のような整流機能に加え、以下に述べるような、光ディスク９０の姿勢を規制し得る機能を有している。
【００６５】
例えば光ディスク９０の一部を誤ってディスクトレイ１１の爪部１１３上に載せた状態、すなわち、ディスクトレイ１１の前方側において、光ディスク９０がディスク収納部１１１から突出した状態（以下、この状態を「誤収納状態」と言う。）で、ディスクトレイ１１を装填位置へ移動させて、光ディスク９０を装置本体２内に搬送した場合には、光ディスク９０をターンテーブル５２に装着することができない。このため、この場合、ディスクトレイ１１を排出位置へ移動させて、光ディスク９０を装置本体２から排出しなければならない。
【００６６】
このようなときに、凸部２３１は、光ディスク９０が開口２４０付近（フロントベゼル２４の上側後端）に引っかかるのを防止し得る機能を有する。すなわち、光ディスク９０の誤収納状態（誤装着状態）でディスクトレイ１１を装填位置へ移動させた場合であっても、ディスクトレイ１１を排出位置へ向かって移動させる際に、フロントベゼル２４の上側後端に引っかかるのを防止することができ、ディスクトレイ１１を排出位置に円滑に移動させることができる。
【００６７】
具体的には、誤収納状態で、ディスクトレイ１１を装填位置へ移動させた場合（光ディスク９０が装置本体２内に誤挿入された場合）、凸部２３１は、光ディスク９０のディスク収納部１１１から突出した部分をディスク収納部１１１に向かって押圧し、爪部１１３と光ディスク９０をディスク収納部１１１の底面側に撓ませる。これにより、ディスクトレイ１１を排出位置へ移動させる際に、光ディスク９０が開口２４０付近に引っかかるのを防止することができる。
【００６８】
また、誤収納状態の光ディスク９０は、ディスクトレイ１１を装填位置から排出位置へ向かって移動させる際に、その上面が凸部２３１に接触しつつ摺動するが、前述したように、凸部２３１の先端面２３４が平坦面であるため、光ディスク９０の凸部２３１に対する摺動抵抗を低減することができ、また、光ディスク９０の上面が傷つくのを防止することもできる。
【００６９】
また、凸部２３１は、天板２３と一体的に形成されているのが好ましい。凸部２３１を天板２３と一体的に成形（形成）することにより、ゴム片、プラスチック片等で構成される別部材を天板２３に固着（固定）する場合と比較して、ディスク装置１の製造工程数や部品点数を削減することができる。このため、ディスク装置１の生産性を向上させることができる。
【００７０】
このような凸部２３１の形成方法は、特に限定されないが、プレス加工または絞り加工を用いるのが好ましい。このような塑性加工によれば、凸部２３１を容易に形成することができる。
【００７１】
なお、凸部２３１の横断面形状は、光ディスク９０が回転する際に発生する気流を調整することができる形状であれば、図示のものに限定されない。例えば、２重または３重以上の円環状の凸部２３１であってもよい。
【００７２】
なお、凸部２３１は、天板２３と一体的に形成されたものに限定されず、例えば、ゴム片、プラスチック片等で構成される別部材を天板２３に接着剤、ビス止め等により固着（固定）したものであってもよい。
【００７３】
以上、本発明のディスク装置を図示の実施形態について説明したが、本発明は、これに限定されるものではなく、ディスク装置を構成する各部は、同様の機能を発揮し得る任意の構成のものと置換することができる。また、任意の構成物が付加されていてもよい。
【００７４】
また、前記実施形態では、凸部は、整流機能を有するものとして説明したが、凸部は、これに代わり、他の任意の機能を有するものや、整流機能と他の機能（例えば光ディスクの誤挿入防止機能）とを併有するものであってもよい。
【００７５】
【発明の効果】
以上述べたように、本発明によれば、光ディスクが回転（高速回転）する際に発生する気流（空気の流れ）の乱れを抑制（防止）することができ、特に、この気流を調整（整流）することもできる。
【００７６】
これにより、光ディスクを安定的に回転することができ、光ディスクの記録再生特性の低下を防止することができる。
【図面の簡単な説明】
【図１】本発明のディスク装置の実施形態を示す平面図である。
【図２】図１に示すディスク装置における天板を装置本体の内側から見た平面図である。
【図３】図１に示すディスク装置における天板を取り外した状態を示す平面図である。
【図４】図１に示すディスク装置（下降位置）を示す断面側面図である。
【図５】図１に示すディスク装置（上昇位置）を示す断面側面図である。
【符号の説明】
１　　　　　　ディスク装置
１１　　　　　ディスクトレイ
１１１　　　　ディスク収納部
１１２　　　　開口
１１３　　　　爪部
１１４　　　　軸
１１５　　　　底面
１１６　　　　トレイパネル
１２　　　　　メイン回路基板
１３　　　　　枠部材
１３１　　　　軸
１４　　　　　ゴムブッシュ
１５　　　　　ディスククランパ
２　　　　　　装置本体
２１　　　　　フレーム
２２　　　　　ケーシング
２２１　　　　底板
２３　　　　　天板
２３１　　　　凸部
２３２　　　　内周面
２３３　　　　外周面
２３４　　　　先端面
２４　　　　　フロントベゼル
２４０　　　　開口
３　　　　　　スレッドメカユニット
４　　　　　　シャーシ
４１　　　　　回動端
４２　　　　　変位端
５　　　　　　光ディスク回転駆動機構
５１　　　　　スピンドルモータ
５２　　　　　ターンテーブル
６　　　　　　光ピックアップ
６１　　　　　対物レンズ
６２　　　　　アクチュエータ
６３　　　　　支持部材
６４、６５　　摺動部
７　　　　　　光ピックアップ移動機構
７１　　　　　スレッドモータ
７２　　　　　ウォーム
７３　　　　　大径ギア
７４　　　　　小径ギア
７５　　　　　ラックギア
７６、７７　　ガイドシャフト
８１　　　　　ガイドシャフト高さ調整機構
９０　　　　　光ディスク
【図１】
2004103178.tif 000003
【図２】
2004103178.tif 000004
【図３】
2004103178.tif 000005
【図４】
2004103178.tif 000006
【図５】
2004103178.tif 000007